(57)【要約】  本発明の一つの態様の照明装置は、天井に取り付けられる照明装置であって、光を射出する光源と、光源の周囲の少なくとも一部に配置された照明部材と、を備え、照明部材は、上下方向に並んで配置された複数の採光部を有し、採光部には、光源から射出された光の一部が入射され、採光部は、採光部に入射された光の少なくとも一部を天井側に向けて反射する反射面を有する。
2018003975.tif 000002
【特許請求の範囲】
【請求項１】
天井に取り付けられる照明装置であって、
光を射出する光源と、
前記光源の周囲の少なくとも一部に配置された照明部材と、
を備え、
前記照明部材は、上下方向に並んで配置された複数の採光部を有し、
前記採光部には、前記光源から射出された光の一部が入射され、
前記採光部は、前記採光部に入射された光の少なくとも一部を前記天井側に向けて反射する反射面を有する、照明装置。
【請求項２】
前記照明部材は、前記光源の周囲を囲む照明ケースであり、
前記採光部は、前記照明部材の一周に亘って設けられている、請求項１に記載の照明装置。
【請求項３】
前記光源の底面視形状は、長方形状であり、
前記照明部材は、底面視において、前記光源の長辺に沿って配置されている、請求項１に記載の照明装置。
【請求項４】
前記照明部材は、前記採光部から射出された光が入射される光拡散部材を有する、請求項１に記載の照明装置。
【請求項５】
前記照明部材は、上下方向と直交する第１方向を向く第１面と、上下方向と直交し前記第１方向と異なる第２方向を向く第２面と、を有し、
前記第１面と前記第２面とには、それぞれ複数の前記採光部が上下方向に並んで配置され、
前記第１面に配置された前記採光部と前記第２面に配置された前記採光部とは、互いに種類が異なる、請求項１に記載の照明装置。
【請求項６】
前記光源は、前記天井に固定される面状発光体である、請求項１に記載の照明装置。
【請求項７】
前記照明部材は、前記光源の周囲において前記天井に固定される、請求項６に記載の照明装置。
【請求項８】
前記光源は、前記天井から吊るされて配置され、
前記照明部材は、前記光源に取り付けられている、請求項１に記載の照明装置。
【請求項９】
前記照明部材は、
一方側の面に複数の前記採光部が配置された透光性の基材と、
複数の前記採光部の間に設けられた空隙部と、
を有する、請求項１から８のいずれか一項に記載の照明装置。
【請求項１０】
天井に取り付けられる光源の周囲を囲む照明ケースであって、
上下方向に並んで配置された複数の採光部を備え、
前記採光部には、前記光源から射出された光の一部が入射され、
前記採光部は、前記採光部に入射された光の少なくとも一部を前記天井側に向けて反射する反射面を有する、照明ケース。
【発明の詳細な説明】
【技術分野】
【０００１】
本発明の一つの態様は、照明装置、および照明ケースに関する。
本願は、２０１６年７月１日に、日本に出願された特願２０１６−１３１８４６号に基づき優先権を主張し、その内容をここに援用する。
【背景技術】
【０００２】
天井に設置される照明器具が知られている（例えば、特許文献１等参照）。特許文献１には、天井埋め込み型照明器具が記載されている。
【先行技術文献】
【特許文献】
【０００３】
【特許文献１】特許第３８１７７７３号公報
【発明の概要】
【発明が解決しようとする課題】
【０００４】
上記のような天井に設置される照明器具は、天井から下側に向けて光を照射して部屋を照明する。そのため、照明器具が設置された箇所以外の天井面には、照明器具の光が届きにくく、天井面が暗くなる問題があった。天井面が暗くなると、室内に居る人が室内を暗く感じる、あるいは圧迫感を感じる等、室内の印象が低下する問題があった。【０００５】
本発明の一つの態様は、上記問題点に鑑みて、天井に設置される照明装置であって、室内の印象が低下することを抑制できる照明装置を提供することを目的の一つとする。また、天井に取り付けられる光源の周囲を囲む照明ケースであって、室内の印象が低下することを抑制できる照明ケースを提供することを目的の一つとする。
【課題を解決するための手段】
【０００６】
本発明の照明装置の一つの態様は、天井に取り付けられる照明装置であって、光を射出する光源と、前記光源の周囲の少なくとも一部に配置された照明部材と、を備え、前記照明部材は、上下方向に並んで配置された複数の採光部を有し、前記採光部には、前記光源から射出された光の一部が入射され、前記採光部は、前記採光部に入射された光の少なくとも一部を前記天井側に向けて反射する反射面を有する。【０００７】
前記照明部材は、前記光源の周囲を囲む照明ケースであり、前記採光部は、前記照明部材の一周に亘って設けられている構成としてもよい。【０００８】
前記光源の底面視形状は、長方形状であり、前記照明部材は、底面視において、前記光源の長辺に沿って配置されている構成としてもよい。【０００９】
前記照明部材は、前記採光部から射出された光が入射される光拡散部材を有する構成としてもよい。【００１０】
前記照明部材は、上下方向と直交する第１方向を向く第１面と、上下方向と直交し前記第１方向と異なる第２方向を向く第２面と、を有し、前記第１面と前記第２面とには、それぞれ複数の前記採光部が上下方向に並んで配置され、前記第１面に配置された前記採光部と前記第２面に配置された前記採光部とは、互いに種類が異なる構成としてもよい。【００１１】
前記光源は、前記天井に固定される面状発光体である構成としてもよい。【００１２】
前記照明部材は、前記光源の周囲において前記天井に固定される構成としてもよい。【００１３】
前記光源は、前記天井から吊るされて配置され、前記照明部材は、前記光源に取り付けられている構成としてもよい。【００１４】
前記照明部材は、一方側の面に複数の前記採光部が配置された透光性の基材と、複数の前記採光部の間に設けられた空隙部と、を有する構成としてもよい。【００１５】
本発明の照明ケースの一つの態様は、天井に取り付けられる光源の周囲を囲む照明ケースであって、上下方向に並んで配置された複数の採光部を備え、前記採光部には、前記光源から射出された光の一部が入射され、前記採光部は、前記採光部に入射された光の少なくとも一部を前記天井側に向けて反射する反射面を有する。
【発明の効果】
【００１６】
本発明の一つの態様によれば、天井に設置される照明装置であって、室内の印象が低下することを抑制できる照明装置が提供される。また、本発明の一つの態様によれば、天井に取り付けられる光源の周囲を囲む照明ケースであって、室内の印象が低下することを抑制できる照明ケースが提供される。
【図面の簡単な説明】
【００１７】
【図１】第１実施形態の照明装置が配置された部屋を示す図である。
【図２】第１実施形態の照明装置が配置された天井面を示す図である。
【図３】第１実施形態の照明装置を示す斜視図である。
【図４】第１実施形態の照明装置を下側から視た底面図である。
【図５】第１実施形態の照明装置を示す図であって、図４におけるV-V断面図である。
【図６】第１実施形態の採光部を示す斜視図である。
【図７】第１実施形態の採光部の作用を示す断面図である。
【図８】実施例１の光源の配光曲線を示す図である。
【図９】比較例１の照明装置を点灯させた際の天井面の明るさを示す図である。
【図１０】実施例１の照明装置を点灯させた際の天井面の明るさを示す図である。
【図１１】第２実施形態の照明装置を示す断面図である。
【図１２】第２実施形態の照明装置を下側から視た底面図である。
【図１３】実施例２の光源の配光曲線を示す図である。
【図１４】比較例２の照明装置を点灯させた際の天井面の明るさを示す図である。
【図１５】実施例２の照明装置を点灯させた際の天井面の明るさを示す図である。
【図１６】第３実施形態の照明装置を示す断面図である。
【図１７】第３実施形態の照明装置を示す断面図である。
【図１８】第３実施形態の照明装置を下側から視た底面図である。
【図１９】実施例３の光源の配光曲線を示す図である。
【図２０】比較例３の照明装置を点灯させた際の天井面の明るさを示す図である。
【図２１】実施例３の照明装置を点灯させた際の天井面の明るさを示す図である。
【図２２】第４実施形態の照明装置を示す斜視図である。
【図２３】第４実施形態の照明装置を示す図であって、図２２におけるXXIII−XXIII断面図である。
【図２４】比較例４の照明装置の配光曲線を示す図である。
【図２５】比較例４の照明装置を点灯させた際の天井面の明るさを示す図である。
【図２６】実施例４の照明装置を点灯させた際の天井面の明るさを示す図である。
【図２７】第５実施形態の照明装置を下側から視た底面図である。
【図２８】第５実施形態の照明装置を示す図であって、図２７におけるXXVIII−XXVIII断面図である。
【図２９】第６実施形態の照明装置を下側から視た底面図である。
【図３０】第６実施形態の照明装置を示す図であって、図２９におけるXXX−XXX断面図である。
【発明を実施するための形態】
【００１８】
以下、図面を参照しながら、本発明の実施形態に係る照明装置について説明する。なお、本発明の範囲は、以下の実施の形態に限定されず、本発明の技術的思想の範囲内で任意に変更可能である。また、以下の図面においては、各構成をわかりやすくするために、各構造における縮尺および数等を、実際の構造における縮尺および数等と異ならせる場合がある。
【００１９】
＜第１実施形態＞
本実施形態の照明装置１０は、図１および図２に示すように、天井Ｃに取り付けられる照明装置である。図１および図２では、照明装置１０が１つの部屋Ｒ１内の天井Ｃに複数設置される場合について示している。図２に示すように、天井Ｃは、例えば、長方形の天井面ＣＦを有する。
【００２０】
各図に適宜示した３次元直交座標系（ＸＹＺ座標系）において、Ｚ軸方向は、上下方向とする。Ｘ軸方向およびＹ軸方向は、Ｚ軸方向と直交する水平方向の一方向であり、互いに直交する方向とする。Ｘ軸方向は、天井面ＣＦの外形の長辺と平行な方向である。Ｙ軸方向は、天井面ＣＦの外形の短辺と平行な方向である。
【００２１】
以下の説明においては、Ｚ軸方向と平行な方向を単に「上下方向」と呼ぶ場合があり、Ｘ軸方向と平行な方向を単に「幅方向」と呼ぶ場合があり、Ｙ軸方向と平行な方向を単に「奥行方向」と呼ぶ場合がある。また、Ｚ軸方向の正の側（＋Ｚ側）を「上側」と呼ぶ場合があり、Ｚ軸方向の負の側（−Ｚ側）を「下側」と呼ぶ場合がある。
【００２２】
図２の例において、天井面ＣＦは、複数の単位領域ＣＵに区切られている。複数の単位領域ＣＵは、マトリクス状に設けられており、図２では幅方向（Ｘ軸方向）に５つずつ、奥行方向（Ｙ軸方向）に３つずつの合計１５個設けられている。単位領域ＣＵは、正方形状である。一例として、天井面ＣＦの幅方向の寸法Ｗは９．０ｍであり、天井面ＣＦの奥行方向の寸法Ｄは、５．４ｍである。単位領域ＣＵの幅方向の寸法ＷＵおよび奥行方向の寸法ＤＵは、共に１．８ｍである。
【００２３】
照明装置１０は、単位領域ＣＵごとに１つずつ設けられている。照明装置１０は、単位領域ＣＵの中央に設置されている。図３から図５に示すように、照明装置１０は、光源２０と、照明部材３０と、を備える。
【００２４】
本実施形態において光源２０は、図３に示すように、天井Ｃに埋め込まれる埋め込み型の照明器具である。図４に示すように、光源２０の下側（−Ｚ側）から視た（以下、底面視）形状は、正方形状である。底面視において、光源２０の外形における対向する二対の辺のうちの一方の対は、幅方向（Ｘ軸方向）と平行であり、他方の対は、奥行き方向（Ｙ軸方向）と平行である。一例として、光源２０の幅方向（Ｘ軸方向）の寸法ＷＬ１および奥行方向（Ｙ軸方向）の寸法ＤＬ１は、共に０．６０ｍである。
【００２５】
光源２０は、図３および図４に示すように、光を射出する２つの発光部２１，２２を有する。発光部２１は、図４および図５に示すように、天井面ＣＦから上側（＋Ｚ側）に窪む凹部ＣＡ内に配置されている。図４に示すように、凹部ＣＡの底面視形状は、幅方向（Ｘ軸方向）に長い長方形状である。凹部ＣＡは、奥行方向（Ｙ軸方向）に間隔を空けて２つ設けられている。一方の凹部ＣＡに発光部２１が配置され、他方の凹部ＣＡに発光部２２が配置されている。
【００２６】
発光部２１，２２は、光を射出するならば、特に限定されない。本実施形態において発光部２１，２２は、例えば、蛍光灯、電球、ＬＥＤ（Ｌｉｇｈｔ  Ｅｍｉｔｔｉｎｇ  Ｄｉｏｄｅ）等である。図５に示すように、発光部２１，２２から光が射出されることで、光源２０は、光Ｌを下側（−Ｚ側）に向けて射出する。
【００２７】
照明部材３０は、図３および図４に示すように、光源２０の周囲の少なくとも一部に配置されている。本実施形態において照明部材３０は、光源２０の周囲全体に配置され、光源２０の周囲を囲む照明ケースである。照明部材３０は、光源２０の周囲において天井Ｃに固定されている。照明部材３０は、天井面ＣＦにおける光源２０の周縁部から下側（−Ｚ側）に突出する枠状の部材である。一例として、照明部材３０の天井面ＣＦからの突出高さＨ１（図５参照）は、例えば、０．２０ｍである。
【００２８】
なお、本明細書において、照明部材が光源の周囲を囲むとは、照明部材が光源の周囲の一周に亘って連続して設けられている場合に加えて、照明部材の一部が光源の周囲において不連続となっている場合、および複数の照明部材が光源の周囲に沿って互いに間隔を空けて配置される場合等も含む。
【００２９】
照明部材３０の底面視形状は、図４に示すように、正方形状である。底面視において、照明部材３０の大きさは、光源２０よりもわずかに大きいが、光源２０の大きさとほぼ同じである。一例として、照明部材３０の幅方向（Ｘ軸方向）の寸法および奥行方向（Ｙ軸方向）の寸法は、共に約０．６０ｍである。
【００３０】
照明部材３０は、図５に示すように、枠体４０と、基材５０と、複数の採光部６１からなる採光部群６０と、を有する。枠体４０は、光源２０から射出される光Ｌを透過させる透光性を有する。枠体４０は、図３に示すように、正方形枠状である。枠体４０は、奥行方向（Ｙ軸方向）に延びる一対の壁部４１，４２と、幅方向（Ｘ軸方向）に延びる一対の壁部４３，４４と、を有する。各壁部４１〜４４の上端は、光源２０の周囲において、天井面ＣＦに固定されている。
【００３１】
枠体４０は、熱可塑性ポリマーや熱硬化性樹脂、光重合性樹脂等の光透過性樹脂から構成される。光透過性樹脂としては、例えばアクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー等からなる樹脂を用いることができる。その中でも、例えばポリメタクリル酸メチル樹脂（ＰＭＭＡ）、トリアセチルセルロース（ＴＡＣ）、ポリエチレンテレフタレート（ＰＥＴ）、シクロオレフィンポリマー（ＣＯＰ）、ポリカーボネート（ＰＣ）、ポリエチレンナフタレート（ＰＥＮ）、ポリエーテルサルホン（ＰＥＳ）、ポリイミド（ＰＩ）等を好適に用いることができる。その他、枠体４０は、ガラス製であってもよい。枠体４０は、複数の材質が積層された積層構造であってもよい。枠体４０の全光線透過率は、ＪＩＳ  Ｋ７３６１−１の規定で９０％以上が好ましい。これにより、十分な透明性を得ることができる。
【００３２】
基材５０および採光部群６０は、各壁部４１〜４４のそれぞれに設けられている。図５に示すように、壁部４１と基材５０と採光部群６０とによって、採光ユニット３０Ａが構成されている。壁部４２と基材５０と採光部群６０とによって、採光ユニット３０Ｂが構成されている。図示は省略するが、壁部４３と基材５０と採光部群６０とによって、採光ユニット３０Ｃが構成されている。図示は省略するが、壁部４４と基材５０と採光部群６０とによって、採光ユニット３０Ｄが構成されている。なお、図３および図４においては、採光ユニット３０Ａ〜３０Ｄを模式的に簡略化して示している。
【００３３】
図４に示すように、採光ユニット３０Ａと採光ユニット３０Ｂとは、幅方向（Ｘ軸方向）に対向している。採光ユニット３０Ｃと採光ユニット３０Ｄとは、奥行方向（Ｙ軸方向）に対向している。底面視において、採光ユニット３０Ａ〜３０Ｄによって、光源２０は周囲を囲まれている。
【００３４】
各採光ユニット３０Ａ〜３０Ｄは、配置される位置および向きが異なる点を除いて同様の構成であるため、以下の説明においては代表して採光ユニット３０Ａについてのみ説明する場合がある。また、以下の基材５０および採光部群６０の説明における位置関係は、採光ユニット３０Ａに設けられた基材５０および採光部群６０における位置関係とする。
【００３５】
基材５０は、図５に示すように、壁部４１の内側（−Ｘ側）の面に固定されている。基材５０は、光源２０から射出される光Ｌを透過させる透光性を有する。基材５０は、図６に示すように、主面が上下方向（Ｚ軸方向）と平行な長方形板状である。基材５０の壁部４１と逆側（一方側，−Ｘ側）の内側面５０ａには、複数の採光部６１からなる採光部群６０が配置されている。
【００３６】
基材５０としては、熱可塑性ポリマーや熱硬化性樹脂、光重合性樹脂等の光透過性樹脂から構成される。光透過性樹脂としては、例えばアクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー等からなる樹脂を用いることができる。その中でも、例えばポリメタクリル酸メチル樹脂（ＰＭＭＡ）、トリアセチルセルロース（ＴＡＣ）、ポリエチレンテレフタレート（ＰＥＴ）、シクロオレフィンポリマー（ＣＯＰ）、ポリカーボネート（ＰＣ）、ポリエチレンナフタレート（ＰＥＮ）、ポリエーテルサルホン（ＰＥＳ）、ポリイミド（ＰＩ）等を好適に用いることができる。その他、基材５０は、ガラス製であってもよい。基材５０は、複数の材質が積層された積層構造であってもよい。基材５０の全光線透過率は、ＪＩＳ  Ｋ７３６１−１の規定で９０％以上が好ましい。これにより、十分な透明性を得ることができる。基材５０の材質は、枠体４０の材質と同じであってもよいし、異なっていてもよい。
【００３７】
採光部群６０を構成する複数の採光部６１は、上下方向に並んで配置されている。採光部６１は、基材５０の内側面５０ａから内側（−Ｘ側）に突出する数十〜数百μｍオーダーの微細な凸部である。各採光部６１は、上下方向（Ｚ軸方向）と直交する方向、すなわち図６では奥行方向（Ｙ軸方向）に延びている。本実施形態において採光部６１は、採光ユニット３０Ａにおける奥行方向の一端から他端まで延びている。図５に示すように、採光部６１は、採光部６１の長手方向（Ｙ軸方向）と直交する断面（ＺＸ断面）形状が多角形状をなしている。
【００３８】
採光部６１は、図７に示すように、採光部６１における基材５０から最も離れた頂点６１ａを通る基材５０の垂線Ｑを中心として、垂線Ｑの上下方向両側の形状が非対称とされた、断面形状が五角形の多角柱状の構造体である。なお、採光部６１の断面形状は、図示したものに限られず、照明装置１０の用途等に応じて、適宜設計変更することが可能である。
【００３９】
照明部材３０は、複数の採光部６１の間に設けられた空隙部６２を有する。隣り合う採光部６１の間の空隙部６２には空気が存在している。したがって、空隙部６２の屈折率は、概ね１．０である。空隙部６２の屈折率を１．０とすることにより、空隙部６２と採光部６１との界面における臨界角が最小となる。なお、採光部６１が設けられた空間が密閉された場合には、空隙部６２を不活性ガスで満たしてもよいし、減圧状態としてもよい。
【００４０】
基材５０の屈折率と採光部６１の屈折率とは、略同等であることが好ましい。基材５０の屈折率と採光部６１の屈折率とが大きく異なる場合、光が採光部６１から基材５０に入射したとき、採光部６１と基材５０との界面で不要な光の屈折や反射が生じることがある。この場合、所望の採光特性が得られない場合がある。基材５０の屈折率と採光部６１の屈折率とを略同等とすることにより、所望の採光特性を得やすい。
【００４１】
採光部６１は、例えばアクリル樹脂、エポキシ樹脂、シリコーン樹脂等の光透過性および感光性を有する有機材料で構成される。また、採光部６１は、これらの有機材料に、重合開始剤、カップリング剤、モノマー、有機溶媒等を混合した混合物で構成されてもよい。採光部６１を構成する混合物に重合開始剤が含まれている場合、重合開始剤は安定剤、禁止剤、可塑剤、蛍光増白剤、離型剤、連鎖移動剤、他の光重合性単量体等のような各種の追加成分を含んでいてもよい。採光部６１の全光線透過率は、ＪＩＳ  Ｋ７３６１−１の規定で９０％以上が好ましい。これにより、十分な透明性を得ることができる。
【００４２】
上述したように、採光部６１は、光源２０の周囲を囲む各採光ユニット３０Ａ〜３０Ｄのそれぞれに設けられている。そのため、本実施形態において採光部６１は、光源２０の周囲を囲む照明ケースである照明部材３０の一周に亘って設けられている。
【００４３】
図５に示すように、光源２０から射出される光Ｌは、光軸を上下方向と平行な光軸ＡＸとして、水平方向に拡がりつつ下側に進む。光Ｌの一部は、光源２０の周囲に配置された照明部材３０に入射される。図７に示すように、照明部材３０に入射される光Ｌ１は、採光部６１から採光ユニット３０Ａに入射される。光Ｌ１は、光源２０から射出される光Ｌのうち、採光ユニット３０Ａに対して斜め上方から入射する光である。
【００４４】
光Ｌ１は、採光部６１の複数の面のうち、上向きに傾いた光入射端面６１ｂから採光部６１に入射する。採光部６１に入射した光Ｌ１は、反射面６１ｃで全反射して斜め上方に向かって進み、採光部６１の射出面６１ｄから射出される。採光部６１から射出されたＬ１は、基材５０および枠体４０（壁部４１）を透過して室内の天井Ｃに向かって射出される。採光ユニット３０Ａから天井Ｃに向けて射出された光Ｌ２は、照明装置１０の周囲の天井面ＣＦ、すなわち照明装置１０が配置されていない天井面ＣＦを照らす。
【００４５】
以上説明したように、本実施形態によれば、採光部６１に光源２０から射出された光Ｌの一部が入射され、採光部６１は、採光部６１に入射された光Ｌの少なくとも一部を天井Ｃ側に向けて反射する反射面６１ｃを有する。そのため、部屋Ｒ１を照明する照明装置１０から射出される光Ｌの一部を利用して、天井面ＣＦを照明することができる。これにより、照明装置１０が設置された箇所以外の天井面ＣＦが暗くなることを抑制できる。したがって、部屋Ｒ１の室内に居る人Ｍ（図１参照）が室内を暗く感じること、および圧迫感を感じることを抑制でき、室内の印象が低下することを抑制できる。
【００４６】
また一方で、光源２０から射出された光Ｌのうち採光部６１に入射されない光は、部屋Ｒ１の床面Ｆ（図１参照）に向けて照射されるため、部屋Ｒ１内も明るくすることができる。これにより、本実施形態によれば、部屋Ｒ１内を明るくしつつ、広い範囲で天井Ｃを照らすことができ、効率よく快適な光環境を実現することができる。
【００４７】
また、本実施形態の光源２０のような埋め込み型の光源は、通常、射出される光が天井面ＣＦに届くことがなく、特に天井面ＣＦが暗くなりやすい。そのため、本実施形態による室内の印象が低下することを抑制できる効果は、光源２０が埋め込み型の光源である場合に、特に有用である。
【００４８】
また、本実施形態によれば、照明部材３０は光源２０の周囲を囲む照明ケースであり、採光部６１は、照明部材３０の一周に亘って設けられている。そのため、採光部６１によって、照明装置１０の周囲の天井面ＣＦの全周に光Ｌ２を照射することができる。これにより、照明装置１０が設置された箇所以外の天井面ＣＦが暗くなることをより抑制でき、室内の印象が低下することをより抑制できる。
【００４９】
また、本実施形態によれば、照明部材３０は、光源２０の周囲において天井Ｃに固定されている。そのため、天井Ｃに設置された既存の照明器具の周囲の天井面ＣＦに、照明部材３０を固定することで、本実施形態の照明装置１０を製造することが可能である。
【００５０】
本実施形態の照明装置１０の実施例として実施例１を作成し、実施例１と比較例１とを比較することで、本実施形態の効果を検証した。実施例１において、光源２０の寸法ＷＬ１および寸法ＤＬ１は、共に０．６０ｍとした。発光部２１，２２が配置される各凹部ＣＡの寸法は、それぞれ、幅方向（Ｘ軸方向）の寸法を０．６０ｍとし、奥行方向（Ｙ軸方向）の寸法を０．２０ｍとした。
【００５１】
実施例１の発光部２１，２２は、消費電力３２Ｗ、光束２９５０ｌｍの２０型直管ＬＥＤランプ（パナソニック株式会社製、型番ＸＬ２３２ＥＦＵＪ）とした。実施例１の光源２０の配光曲線は、図８に示す通りである。図８において、実線ＦＤ１１は、発光部２１，２２の管軸に垂直な方向の配光曲線を示しており、破線ＦＤ１２は、発光部２１，２２の管軸に平行な方向の配光曲線を示している。実施例１において、発光部２１，２２の管軸は、幅方向（Ｘ軸方向）と平行な方向に延びる。
【００５２】
実施例１の照明部材３０における天井面ＣＦからの突出高さＨ１は、０．２０ｍとした。照明部材３０の幅方向（Ｘ軸方向）の寸法および奥行方向の寸法（Ｙ軸方向）は、光源２０とほぼ同じ約０．６０ｍとした。
【００５３】
比較例１の照明装置は、実施例１の照明装置に対して、照明部材３０が設けられていない点においてのみ異なる照明装置とした。
【００５４】
実施例１の照明装置と比較例１の照明装置とを点灯させ、底面視において、各照明装置が設置された単位領域ＣＵの明るさを観察した。結果を図９および図１０に示す。図９は、比較例１の結果を示す図である。図１０は、実施例１の結果を示す図である。図９および図１０においては、明るさをグレースケールで表しており、色が黒に近いほど暗いことを示しており、色が白に近いほど明るいことを示している。
【００５５】
図９から、比較例１の照明装置では、単位領域ＣＵにおける光源２０（発光部２１，２２）が設置された箇所以外の箇所は、光が照射されず暗いことが確かめられた。これに対して、図１０から、実施例１の照明装置では、光源２０の周囲の全周に亘って、比較的広く光が照射され、単位領域ＣＵにおける光源２０（発光部２１，２２）が設置された箇所に加えて、単位領域ＣＵにおける光源２０の周囲も明るくなっていることが確かめられた。これにより、実施例１の有用性を確かめることができた。
【００５６】
＜第２実施形態＞
第２実施形態は、第１実施形態に対して、光源の形状が異なる。なお、上記実施形態と同様の構成については、適宜同一の符号を付す等により説明を省略する場合がある。
【００５７】
本実施形態の照明装置１１０は、図１１に示すように、光源１２０と、照明部材３０と、を備える。光源１２０は、天井Ｃに固定される面状発光体である。光源１２０の底面視形状は、図１２に示すように、正方形状である。一例として、光源１２０の幅方向（Ｘ軸方向）の寸法ＷＬ２および奥行方向（Ｙ軸方向）の寸法ＤＬ２は、共に０．６０ｍである。光源１２０としては、例えば、ＬＥＤを内蔵する薄板状の照明器具、導光板を備える導光板照明、有機エレクトロルミネッセンス照明等を用いることができる。
【００５８】
照明装置１１０のその他の構成は、第１実施形態の照明装置１０の構成と同様である。
なお、図１１および図１２においては、照明部材３０を模式的に簡略化して示している。
【００５９】
本実施形態によれば、第１実施形態と同様に、照明装置１１０が設置された箇所以外の天井面ＣＦが暗くなることを抑制でき、室内の印象が低下することを抑制できる。
【００６０】
また、本実施形態の光源１２０のような面状発光体は、通常、射出される光が天井面ＣＦに届くことがなく、特に天井面ＣＦが暗くなりやすい。そのため、本実施形態による室内の印象が低下することを抑制できる効果は、光源１２０が面状発光体である場合に、特に有用である。
【００６１】
本実施形態の照明装置１１０の実施例として実施例２を作成し、実施例２と比較例２とを比較することで、本実施形態の効果を検証した。実施例２において、光源１２０の寸法ＷＬ２および寸法ＤＬ２は、共に０．６０ｍとした。
【００６２】
実施例２の光源１２０は、消費電力１０２Ｗ、光束９６００ｌｍの面状照明（シャープ株式会社製、型番ＤＬ−ＡＡ０２ＮＭ）とした。実施例２の光源１２０の配光曲線ＦＤ２は、図１３に示す通りである。実施例２の照明部材３０は、実施例１の照明部材３０と同様とした。
【００６３】
比較例２の照明装置は、実施例２の照明装置に対して、照明部材３０が設けられていない点においてのみ異なる照明装置とした。
【００６４】
実施例２の照明装置と比較例２の照明装置とを点灯させ、底面視において、各照明装置が設置された単位領域ＣＵの明るさを観察した。結果を図１４および図１５に示す。図１４は、比較例２の結果を示す図である。図１５は、実施例２の結果を示す図である。図１４および図１５においては、明るさをグレースケールで表しており、色が黒に近いほど暗いことを示しており、色が白に近いほど明るいことを示している。
【００６５】
図１４から、比較例２の照明装置では、単位領域ＣＵにおける光源１２０が設置された箇所以外の箇所は、光が照射されず暗いことが確かめられた。これに対して、図１５から、実施例２の照明装置では、光源１２０の周囲の全周に亘って、比較的広く光が照射され、単位領域ＣＵにおける光源１２０が設置された箇所に加えて、単位領域ＣＵにおける光源１２０の周囲も明るくなっていることが確かめられた。これにより、実施例２の有用性を確かめることができた。
【００６６】
＜第３実施形態＞
第３実施形態は、第１実施形態に対して、光源の種類および照明部材の構成が異なる。
なお、上記実施形態と同様の構成については、適宜同一の符号を付す等により説明を省略する場合がある。
【００６７】
本実施形態の照明装置２１０は、図１６から図１８に示すように、光源２２０と、照明部材２３０と、を備える。光源２２０は、天井Ｃに固定されている。図１８に示すように、光源２２０の底面視形状は、幅方向（Ｘ軸方向）に長い長方形状である。一例として、光源２２０の幅方向の寸法ＷＬ３は、１．２５ｍであり、光源２２０の奥行方向（Ｙ軸方向）の寸法ＤＬ３は、０．１５ｍである。光源２２０は、固定部２２３と、発光部２２１と、を有する。
【００６８】
固定部２２３は、幅方向（Ｘ軸方向）に延びている。図１６に示すように、固定部２２３の延在方向と直交する断面（ＹＺ断面）形状は、上底が下底よりも長い台形状である。
固定部２２３の上面は、天井面ＣＦに固定されている。
【００６９】
発光部２２１は、固定部２２３の下面に固定されている。図１７および図１８に示すように、発光部２２１は、幅方向（Ｘ軸方向）に延びている。本実施形態において発光部２２１は、固定部２２３の幅方向の一端から他端まで延びている。図１６に示すように、発光部２２１の延在方向と直交する断面（ＹＺ断面）形状は、下側（−Ｚ側）に凸となる略半円形状である。発光部２２１は、例えば、ＬＥＤにカバーがされたライトモジュールである。
【００７０】
本実施形態において照明部材２３０は、図１８に示すように、底面視において、光源２２０の長辺に沿って配置されている。照明部材２３０は、採光ユニット２３０Ａ，２３０Ｂを有する。採光ユニット２３０Ａと採光ユニット２３０Ｂとは、光源２２０を奥行方向（Ｙ軸方向）に挟んで配置されている。図１７および図１８に示すように、採光ユニット２３０Ａおよび採光ユニット２３０Ｂは、幅方向（Ｘ軸方向）において、光源２２０の一端から他端まで延びている。一例として、採光ユニット２３０Ａ，２３０Ｂの天井面ＣＦからの突出高さＨ２（図１６参照）は、０．１０ｍである。採光ユニット２３０Ａ，２３０Ｂのその他の構成は、第１実施形態の各採光ユニット３０Ａ〜３０Ｄの構成と同様である。なお、図１６から図１８においては、採光ユニット２３０Ａ，２３０Ｂを模式的に簡略化して示している。
【００７１】
照明部材２３０は、光源２２０の周囲の一部において設けられていない点で第１実施形態の照明部材３０と異なる。具体的には、図１８に示すように、光源２２０の幅方向両側（±Ｘ側）には、照明部材２３０が設けられていない。照明装置２１０のその他の構成は、第１実施形態の照明装置１０の構成と同様である。
【００７２】
本実施形態によれば、第１実施形態と同様に、照明装置２１０が設置された箇所以外の天井面ＣＦが暗くなることを抑制でき、室内の印象が低下することを抑制できる。また、底面視長方形状の光源２２０の長辺に沿って照明部材２３０を配置することで、光源２２０の周囲の一部において照明部材２３０を設けなくても、照明部材２３０によって光源２２０から射出される光の一部を好適に天井Ｃ側に反射することができ、天井面ＣＦが暗くなることを好適に抑制できる。
【００７３】
本実施形態の照明装置２１０の実施例として実施例３を作成し、実施例３と比較例３とを比較することで、本実施形態の効果を検証した。実施例３において、光源２２０の寸法ＷＬ３は、１．２５ｍとし、寸法ＤＬ３は、０．１５ｍとした。
【００７４】
実施例３の光源２２０は、発光部２２１を消費電力３７Ｗ、光束４９００ｌｍのライトモジュール（シャープ株式会社製、型番ＤＬ−Ｍ４００Ｗ）とし、固定部２２３を逆富士形型の本体（シャープ株式会社製、型番ＤＬ−ＭＦ４００Ｎ）とした。実施例３の光源２２０の配光曲線は、図１９に示す通りである。図１９において、実線ＦＤ３１は、発光部２２１の延在方向（Ｘ軸方向）に垂直な方向の配光曲線を示しており、破線ＦＤ３２は、発光部２２１の延在方向に平行な方向の配光曲線を示している。
【００７５】
実施例３の照明部材２３０（採光ユニット２３０Ａ，２３０Ｂ）における天井面ＣＦからの突出高さＨ２は、０．１０ｍとした。照明部材２３０（採光ユニット２３０Ａ，２３０Ｂ）の幅方向（Ｘ軸方向）の寸法は、光源２２０と同じ１．２５ｍとした。
【００７６】
比較例３の照明装置は、実施例３の照明装置に対して、照明部材２３０が設けられていない点においてのみ異なる照明装置とした。
【００７７】
実施例３の照明装置と比較例３の照明装置とを点灯させ、底面視において、各照明装置が設置された単位領域ＣＵの明るさを観察した。結果を図２０および図２１に示す。図２０は、比較例３の結果を示す図である。図２１は、実施例３の結果を示す図である。図２０および図２１においては、明るさをグレースケールで表しており、色が黒に近いほど暗いことを示しており、色が白に近いほど明るいことを示している。
【００７８】
図２０から、比較例３の照明装置では、単位領域ＣＵにおける光源２２０の周縁近傍にはわずかに光が照射されていることが確かめられた。しかし、単位領域ＣＵにおける光源２２０から少しでも離れた箇所には、光が照射されず暗いことが確かめられた。これに対して、図２１から、実施例３の照明装置では、光源２２０の周囲の全周に亘って、比較的広く光が照射され、単位領域ＣＵにおける光源２２０が設置された箇所に加えて、光源２２０の周囲も明るくなっていることが確かめられた。これにより、実施例３の有用性を確かめることができた。
【００７９】
＜第４実施形態＞
第４実施形態は、第１実施形態に対して、光源の種類および照明部材の構成が異なる。
なお、上記実施形態と同様の構成については、適宜同一の符号を付す等により説明を省略する場合がある。
【００８０】
本実施形態の照明装置３１０は、例えば、正方形状の天井面ＣＲＦ１を有する部屋に設置されるものとして説明する。照明装置３１０は、例えば、天井面ＣＲＦ１の中央に１つのみ設置される。一例として、天井面ＣＲＦ１の一辺の長さは、３．６ｍである。
【００８１】
照明装置３１０は、図２２および図２３に示すように、光源３２０と、照明部材３３０と、を備える。光源３２０は、コード３２４によって天井Ｃから吊るされて配置されている。コード３２４は、上端が天井面ＣＲＦ１に固定され、下端が光源３２０の上面に固定されている。本実施形態において光源３２０は、上面が下面よりも大きい略円錐台状である。光源３２０は、例えば、電球、ＬＥＤ等である。一例として、光源３２０と天井面ＣＲＦ１との上下方向の距離Ｈ４（図２３参照）、すなわちコード３２４の長さは、０．３０ｍである。
【００８２】
照明部材３３０は、図２２および図２３に示すように、光源３２０の周囲に配置されている。本実施形態において照明部材３３０は、光源３２０の周囲を囲む照明ケースである。照明部材３３０は、光源３２０に取り付けられている。照明部材３３０は、下側（−Ｚ側）に開口する箱状である。一例として、照明部材３３０の上下方向（Ｚ軸方向）の寸法Ｈ３は、例えば、０．２０ｍである。照明部材３３０の底面視形状は、正方形状である。
底面視において、照明部材３３０の大きさは、光源３２０よりも大きい。一例として、照明部材３３０の幅方向（Ｘ軸方向）の寸法ＷＬ４および奥行方向（Ｙ軸方向）の寸法ＤＬ４は、共に０．６０ｍである。
【００８３】
照明部材３３０は、図２３に示すように、ケース本体３４０と、基材５０と、複数の採光部６１からなる採光部群６０と、光拡散部材３７０と、を有する。ケース本体３４０は、光源３２０から射出される光Ｌを透過させる透光性を有する。ケース本体３４０は、図２２および図２３に示すように、下側（−Ｚ側）に開口する箱状である。ケース本体３４０の底面視形状は、正方形状である。
【００８４】
ケース本体３４０は、図２２に示すように、水平面（ＸＹ平面）に拡がる正方形板状の天板３４５と、天板３４５の各辺から下側に延びる壁部３４１〜３４４と、を有する。天板３４５の中央には、天板３４５を上下方向（Ｚ軸方向）に貫通する貫通孔３４５ａが形成されている。貫通孔３４５ａは、例えば、円形状である。貫通孔３４５ａには、コード３２４が通されている。天板３４５の下面には、下側（−Ｚ側）から光源３２０の上面が接触している。これにより、光源３２０に対してケース本体３４０が取り付けられている。
【００８５】
壁部３４１と壁部３４２とは、奥行方向（Ｙ軸方向）に延びる一対の壁部である。壁部３４１，３４２は、天井Ｃに固定されていない点を除いて、第１実施形態の壁部４１，４２と同様である。壁部３４３と壁部３４４とは、幅方向（Ｘ軸方向）に延びる一対の壁部である。壁部３４３，３４４は、天井Ｃに固定されていない点を除いて、第１実施形態の壁部４３，４４と同様である。
【００８６】
壁部３４１〜３４４の材質は、例えば、第１実施形態の枠体４０と同様に選択できる。
天板３４５の材質は、壁部３４１〜３４４の材質と同じであってもよいし、異なっていてもよい。
【００８７】
照明部材３３０においては、採光ユニット３３０Ａ〜３３０Ｄが構成されている。採光ユニット３３０Ａと採光ユニット３３０Ｂとは、幅方向（Ｘ軸方向）に対向している。採光ユニット３３０Ｃと採光ユニット３３０Ｄとは、奥行方向（Ｙ軸方向）に対向している。採光ユニット３３０Ａ〜３３０Ｄによって、光源３２０は周囲を囲まれている。
【００８８】
採光ユニット３３０Ａ〜３３０Ｄは、各壁部３４１〜３４４のいずれか一つと基材５０と採光部群６０とに加えて、光拡散部材３７０を有する点において、第１実施形態の採光ユニット３０Ａ〜３０Ｄと異なる。
【００８９】
図２３に示すように、採光ユニット３３０Ａにおいて、光拡散部材３７０は、壁部３４１における基材５０と逆側（図２３では＋Ｘ側）の外側面に固定されている。本実施形態において、光拡散部材３７０は、壁部３４１の外側面全体に設けられている。光拡散部材３７０は、採光部６１から射出され、基材５０および壁部３４１を通って、壁部３４１の外側面から射出された光を拡散する。光拡散部材３７０としては、例えば、数百〜数μｍ程度の球状の微粒子を樹脂中に分散させた光拡散層、およびレンチキュラーレンズ等を挙げることができる。採光ユニット３３０Ｂ〜３３０Ｄに設けられた光拡散部材３７０についても、採光ユニット３３０Ａの光拡散部材３７０と同様である。なお、図２２においては、光拡散部材３７０の図示を省略している。
【００９０】
本実施形態によれば、第１実施形態と同様に、照明装置３１０が設置された箇所以外の天井面ＣＲＦ１が暗くなることを抑制でき、室内の印象が低下することを抑制できる。
【００９１】
また、本実施形態によれば、照明部材３３０が、採光部６１から射出された光が入射される光拡散部材３７０を有する。そのため、照明部材３３０から天井面ＣＲＦ１に向けて射出される光が光拡散部材３７０によって拡散される。これにより、天井面ＣＲＦ１におけるより広い範囲を明るくすることができ、室内の印象が低下することをより抑制できる。
【００９２】
また、本実施形態によれば、光源３２０が天井Ｃから吊るされて配置され、照明部材３３０は光源３２０に取り付けられている。そのため、光源３２０を天井Ｃに吊るすことのみによって、照明装置３１０を天井Ｃに設置することができる。したがって、照明装置３１０の設置が容易である。
【００９３】
本実施形態の照明装置３１０の実施例として実施例４を作成し、実施例４と比較例４とを比較することで、本実施形態の効果を検証した。実施例４において、光源３２０は、消費電力６０Ｗ、光束５３００ｌｍのペンダント型ＬＥＤ照明（パナソニック株式会社製、型番ＨＨ−ＬＰ７９７Ｎ）からセードを除いた光源本体部分とした。実施例４の光源３２０と天井Ｃとの上下方向の距離Ｈ４、すなわちコード３２４の長さは、０．３０ｍとした。
【００９４】
実施例４の照明部材３３０の寸法ＷＬ４および寸法ＤＬ４は、共に０．６０ｍとした。
実施例４の照明部材３３０の寸法Ｈ３は、０．２０ｍとした。
【００９５】
比較例４の照明装置５１０は、消費電力６０Ｗ、光束５３００ｌｍのペンダント型ＬＥＤ照明（パナソニック株式会社製、型番ＨＨ−ＬＰ７９７Ｎ）とした。すなわち、実施例４は、比較例４に対して、比較例４のセードが照明部材３３０に置き換えられた点においてのみ異なる。比較例４の照明装置５１０の配光曲線は、図２４に示す通りである。図２４において、実線ＦＤ３１は、奥行方向（Ｙ軸方向）の配光曲線を示しており、破線ＦＤ３２は、幅方向（Ｘ軸方向）の配光曲線を示している。実線ＦＤ３１と破線ＦＤ３２とは、ほぼ一致している。
【００９６】
実施例４の照明装置３１０と比較例４の照明装置５１０とを点灯させ、底面視において、各照明装置が設置された天井面ＣＲＦ１の明るさを観察した。結果を図２５および図２６に示す。図２５は、比較例４の結果を示す図である。図２６は、実施例４の結果を示す図である。図２５および図２６においては、明るさをグレースケールで表しており、色が黒に近いほど暗いことを示しており、色が白に近いほど明るいことを示している。
【００９７】
図２５から、比較例４の照明装置５１０では、天井面ＣＲＦ１における照明装置５１０の周縁近傍にも光が照射されていることが確かめられた。しかし、光が照射される範囲は狭く、天井面ＣＲＦ１において、光が照射されていない領域の方が、光が照射されている領域よりも大きいことが確かめられた。これに対して、図２６から、実施例４の照明装置３１０では、照明装置３１０の周囲の全周に亘って、比較例４よりも広く光が照射され、天井面ＣＲＦ１が広範囲に亘って明るくなっていることが確かめられた。実施例４では、天井面ＣＲＦ１において、光が照射されていない領域の方が、光が照射されている領域よりも小さいことが確かめられた。これにより、実施例４の有用性を確かめることができた。
【００９８】
＜第５実施形態＞
第５実施形態は、第４実施形態に対して、照明部材が異なる２種類の採光部を有する点において異なる。なお、上記実施形態と同様の構成については、適宜同一の符号を付す等により説明を省略する場合がある。
【００９９】
本実施形態の照明装置４１０は、図２７に示すように、例えば、長方形状の天井面ＣＲＦ２を有する部屋Ｒ２に設置されるものとして説明する。照明装置４１０は、天井面ＣＲＦ２の中央に１つのみ設置される。一例として、天井面ＣＲＦ２の幅方向（Ｘ軸方向）の寸法ＷＲは、３．６ｍであり、天井面ＣＲＦ２の奥行方向（Ｙ軸方向）の寸法ＤＲは、２．７ｍである。
【０１００】
照明装置４１０は、光源３２０と、照明部材４３０と、を備える。照明部材４３０は、採光ユニット４３０Ａ，４３０Ｂと、採光ユニット３３０Ｃ，３３０Ｄと、を有する。採光ユニット４３０Ａ，４３０Ｂは、図２８に示すように、採光部群６０の代わりに採光部群４６０を有する。採光部群４６０は、複数の採光部４６１によって構成されている。採光部４６１は、採光部群６０の採光部６１と異なる種類の採光部である。採光部４６１は、断面形状が三角形の多角柱状の構造体である。
【０１０１】
照明装置４１０の図２７におけるXXIII−XXIII断面は、図２３に示した第４実施形態の照明装置３１０の断面形状と同様である。なお、図２７においては、採光ユニット４３０Ａ，４３０Ｂ，３３０Ｃ，３３０Ｄを模式的に簡略化して示している。
【０１０２】
図２７に示すように、採光ユニット４３０Ａと採光ユニット４３０Ｂとは、幅方向（Ｘ軸方向）に対向している。採光ユニット３３０Ｃと採光ユニット３３０Ｄとは、奥行方向（Ｙ軸方向）に対向している。照明部材４３０は、上下方向と直交する幅方向（第１方向）を向く第１面４３１と、上下方向と直交し幅方向と異なる奥行方向（第２方向）を向く第２面４３２と、を有する。第１面４３１は、採光ユニット４３０Ａ，４３０Ｂにおける基材５０の内側面である。第２面４３２は、採光ユニット３３０Ｃ，３３０Ｄにおける基材５０の内側面である。なお、図２７においては、採光ユニット４３０Ａ，４３０Ｂおよび採光ユニット３３０Ｃ，３３０Ｄを模式的に簡略化して示している。
【０１０３】
第１面４３１には、複数の採光部４６１が上下方向に並んで配置されている。第２面４３２には、複数の採光部６１が上下方向に並んで配置されている。上述したように、採光部４６１と採光部６１とは、互いに種類が異なる。すなわち、第１面４３１に配置された採光部４６１と第２面４３２に配置された採光部６１とは、互いに種類が異なる。
【０１０４】
本実施形態によれば、第１実施形態と同様に、照明装置４１０が設置された箇所以外の天井面ＣＲＦ２が暗くなることを抑制でき、室内の印象が低下することを抑制できる。
【０１０５】
また、本実施形態によれば、異なる方向を向く第１面４３１と第２面４３２とに、それぞれ異なる種類の採光部が配置されている。そのため、部屋の形状に合わせて、各面に配置される適宜採光部の種類を選択することで、天井面を好適に明るくできる。具体的には、例えば、図２７に示す幅方向に長い長方形状の天井面ＣＲＦ２の場合、採光部４６１を、採光部６１よりも水平面（ＸＹ平面）に対する角度が小さい角度で光を天井面ＣＲＦ２に向けて射出する採光部とする。これにより、採光部４６１から射出される光によって、採光部６１よりも離れた箇所を照明できる。したがって、奥行方向よりも幅方向に長い天井面ＣＲＦ２において、採光部４６１によって幅方向に向けて光を射出して天井面ＣＲＦ２を照明し、かつ、採光部６１によって奥行方向に向けて光を射出して天井面ＣＲＦ２を照明することで、長方形状の天井面ＣＲＦ２を好適に明るくしやすく、室内の印象が低下することをより抑制できる。
【０１０６】
＜第６実施形態＞
第６実施形態は、第４実施形態および第５実施形態に対して、採光部が照明部材の一部のみに設けられている点において異なる。なお、上記実施形態と同様の構成については、適宜同一の符号を付す等により説明を省略する場合がある。
【０１０７】
本実施形態の照明装置５１０は、図２９に示すように、例えば、長方形状の天井面ＣＲＦ２を有する部屋Ｒ３に設置されるものとして説明する。部屋Ｒ３における幅方向（Ｘ軸方向）の一方側の壁には、窓ＷＤが設けられている。部屋Ｒ３のその他の構成は、第５実施形態の部屋Ｒ２の構成と同様である。照明装置５１０は、天井面ＣＲＦ２の中央に１つのみ設置される。
【０１０８】
照明装置５１０は、光源３２０と、照明部材５３０と、を備える。照明部材５３０は、図２９および図３０に示すように、光源３２０を囲み下側（−Ｚ側）に開口する箱状である。照明部材５３０は、光源３２０を囲むケース本体３４０の各壁部のうち、１つの壁部３４１のみに、基材５０、採光部群６０、および光拡散部材３７０が設けられている。すなわち、照明部材５３０においては、光源３２０を囲む側壁のうちの１つのみが、採光ユニット３３０Ａとなっている。本実施形態では、採光ユニット３３０Ａは、照明部材５３０における光源３２０を囲む側壁のうち、窓ＷＤと逆側（＋Ｘ側）の側壁である。照明装置５１０のその他の構成は、第４実施形態の照明装置３１０の構成と同様である。なお、図２９においては、採光ユニット３３０Ａを模式的に簡略化して示している。
【０１０９】
例えば、窓ＷＤから部屋Ｒ３内に入射する外光と、照明装置から射出される光と、を併用して部屋Ｒ３内を照明する場合について考える。この場合、照明装置を基準として窓ＷＤに近い側（−Ｘ側）は、窓ＷＤからの外光で照らされやすいため比較的明るくなりやすい。一方、照明装置を基準として窓ＷＤから遠い側（＋Ｘ側）は、窓ＷＤからの外光が届きにくく、窓ＷＤに近い側（−Ｘ側）に比べて暗くなりやすい。特に、図２９に示すように、窓ＷＤが設けられている壁が、部屋Ｒ３の長手方向（幅方向）一方側（−Ｘ側）の壁である場合、部屋Ｒ３の長手方向他方側（＋Ｘ側）は、窓ＷＤからの距離が大きくなり、より暗くなりやすい。
【０１１０】
これに対して、本実施形態によれば、照明装置５１０は、窓ＷＤと逆側の側壁が採光ユニット３３０Ａとなっている。そのため、照明装置５１０を基準として窓ＷＤから遠い側において、光源３２０から射出された光の一部を採光ユニット３３０Ａによって天井面ＣＲＦ２に反射させることができる。これにより、部屋Ｒ３における照明装置５１０を基準として窓ＷＤから遠い側を明るくすることができる。したがって、窓ＷＤからの外光と照明装置５１０から射出される光とを併用して、部屋Ｒ３内全体を明るくすることができる。
【０１１１】
以上のように、部屋の形状および窓ＷＤの配置等の関係に応じて採光部（採光ユニット）を配置することで、照明部材における採光部が配置される部分を少なくしつつ、窓ＷＤからの外光を併用して、部屋内を好適に明るくすることができる。
【０１１２】
なお、上記各実施形態の照明装置が配置される部屋、天井面および一つの部屋における設置個数は、特に限定されず、上記示した例以外の態様であってもよい。
【０１１３】
また、各実施形態において採光部は、基材の内側面、すなわち光源側の面に設けられる構成としたが、これに限られない。採光部は、基材の外側面、すなわち光源と逆側の面に設けられる構成であってもよい。
【０１１４】
また、第４実施形態から第６実施形態において示した光拡散部材３７０は、第１実施形態から第３実施形態の照明装置に設けられていてもよい。また、第４実施形態から第６実施形態の照明装置において、光拡散部材３７０が設けられていなくてもよい。
【０１１５】
また、照明部材の構成は、上記の各実施形態の構成に限定されない。照明部材の構成は、採光部が光源の周囲の少なくとも一部に配置されているならば、特に限定されない。例えば、照明部材が光源の周囲全体を囲みつつ、採光部が照明部材の一周のうちの一部、すなわち光源の周囲の一部のみに設けられてもよい。照明部材は、例えば、光源を囲む円筒状であってもよいし、多角筒状であってもよい。また、照明部材が光源の周囲の一部のみに配置され、配置された照明部材の少なくとも一部に採光部が設けられていてもよい。照明部材が光源の周囲の一部のみに配置されているとは、底面視多角形状の光源の辺の一部のみに沿って照明部材が配置されていてもよいし、光源の形状とは無関係に光源の周囲を囲む所定の多角形の辺の一部のみに沿って照明部材が配置されていてもよい。
【０１１６】
また、例えば、第１実施形態においては、採光ユニット３０Ａ〜３０Ｄのうちのいずれか１つ以上、３つ以下の採光ユニットが設けられていなくてもよい。言い換えれば、第１実施形態において、照明部材３０における光源２０を囲む側壁のうちの少なくとも１つが採光部６１を有する採光ユニットであってもよい。例えば、第１実施形態において採光ユニット３０Ａを設けない場合、枠体４０の壁部４１自体を設けなくてもよいし、壁部４１に採光部６１を設けなくてもよい。また、照明部材は、第３実施形態の採光ユニット２３０Ａ，２３０Ｂのように、互いに分離された複数の部材として設けられてもよい。この場合、複数の部材のすべてに採光部が設けられてもよいし、複数の部材の一部のみに採光部が設けられてもよい。また、照明部材が、互いに分離された複数の部材として設けられる場合、複数の部材は、光源を囲む円周上に沿って互いに離間して配置されてもよい。
【０１１７】
また、採光部（採光ユニット）は、上述した第１実施形態から第５実施形態のように、光源の光軸ＡＸに対して、回転対称性を有して配置されていてもよいし、第６実施形態のように、光源の光軸ＡＸに対して、回転対称性を有さずに配置されていてもよい。また、採光部（採光ユニット）は、底面視において光源の中心を通る所定の線に対して、線対称に配置されていてもよいし、非線対称に配置されていてもよい。
【０１１８】
また、第１実施形態から第４実施形態、および第６実施形態においても、第５実施形態のように互いに種類の異なる採光部が設けられていてもよい。各実施形態において、採光部は３種類以上設けられていてもよい。また、互いに異なる採光部が設けられる第１面および第２面の向く方向は、互いに異なっていればよく、直交する方向以外の方向であってもよい。また、各実施形態において、照明部材における同じ方向を向く面に２種類以上の採光部が設けられていてもよい。
【０１１９】
また、光源の種類および光源の発光部の種類は、上記各実施形態において示した各構成を適宜組み替え、あるいは組み合わせて用いることができる。
【０１２０】
また、上記説明した各構成は、相互に矛盾しない範囲内において、適宜組み合わせることができる。
【産業上の利用可能性】
【０１２１】
本発明の一つの態様は、天井に設置される照明装置であって、室内の印象が低下することを抑制することが必要な照明装置などに適用することができる。
【符号の説明】
【０１２２】
１０，１１０，２１０，３１０，４１０，５１０…照明装置、２０，２２０，３２０…光源、３０，３３０，４３０，５３０…照明部材（照明ケース）、５０…基材、６１，４６１…採光部、６１ｃ…反射面、６２…空隙部、１２０…光源（面状発光体）、２３０…照明部材、３７０…光拡散部材、４３１…第１面、４３２…第２面、Ｃ…天井
【図１】
2018003975.tif 000003
【図２】
2018003975.tif 000004
【図３】
2018003975.tif 000005
【図４】
2018003975.tif 000006
【図５】
2018003975.tif 000007
【図６】
2018003975.tif 000008
【図７】
2018003975.tif 000009
【図８】
2018003975.tif 000010
【図９】
2018003975.tif 000011
【図１０】
2018003975.tif 000012
【図１１】
2018003975.tif 000013
【図１２】
2018003975.tif 000014
【図１３】
2018003975.tif 000015
【図１４】
2018003975.tif 000016
【図１５】
2018003975.tif 000017
【図１６】
2018003975.tif 000018
【図１７】
2018003975.tif 000019
【図１８】
2018003975.tif 000020
【図１９】
2018003975.tif 000021
【図２０】
2018003975.tif 000022
【図２１】
2018003975.tif 000023
【図２２】
2018003975.tif 000024
【図２３】
2018003975.tif 000025
【図２４】
2018003975.tif 000026
【図２５】
2018003975.tif 000027
【図２６】
2018003975.tif 000028
【図２７】
2018003975.tif 000029
【図２８】
2018003975.tif 000030
【図２９】
2018003975.tif 000031
【図３０】
2018003975.tif 000032
【国際調査報告】
2018003975.tif 000033
2018003975.tif 000034
2018003975.tif 000035
2018003975.tif 000036